(57)【特許請求の範囲】
【請求項１】
撮影レンズの窓部を覆う閉位置と、撮影レンズの窓部から退避する開位置と、の間を移動するレンズバリアを備えた撮像装置において、
上面に前記レンズバリアが設けられ、固定軸に回転可能かつ前記固定軸の軸方向に沿って所定の長さをスライド可能に軸支されたアームと、
前記アームに回転力を伝達するアーム用駆動手段と、
前記閉位置及び前記開位置で前記アームの移動を規制するストッパーと、
前記固定軸回りに設けられ、前記アームを前記窓部が形成された表筐体から離間する方向へ付勢する第１付勢手段と、
前記アームに設けられ、前記アームを前記窓部が形成された表筐体から離間する方向へ付勢する第２付勢手段と、
前記撮影レンズが保持されたレンズ鏡胴を前記窓部から突出させ、或いは、窓部奥方へ収まる方向へ移動可能とし、前記レンズ鏡胴が前記アームを前記窓部側へ押上げ、アームを介して前記レンズバリアを窓部内へ移動させる撮影レンズ用駆動手段と、
を有することを特徴とする撮像装置。
【請求項２】
レンズバリアが開位置にあることを検知してレンズバリア全開信号を出力する全開検出手段と、
レンズバリアが閉位置にあることを検知してレンズバリア全閉信号を出力する全閉検出手段と、
前記レンズ鏡胴が前記窓部奥方に収まる沈胴位置にあることを検知して沈胴位置信号を出力する沈胴検知手段と、
前記窓部前面と前記レンズバリアとが面一となったことを検知してレンズバリアフラット信号を出力するフラット検出手段と、
撮像電源をオンさせると前記撮影レンズ用駆動手段を駆動させ、前記レンズ鏡胴を前記窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを開位置へ移動させ、前記全開検出手段から前記レンズバリア全開信号が入力されるとアーム用駆動手段を駆動停止させると共に、撮像電源をオフさせると前記撮影レンズ用駆動手段を駆動させ、前記レンズ鏡胴を窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを閉位置へ移動させ、前記全閉検出手段から前記レンズバリア全閉信号が入力されるとアーム用駆動手段を駆動停止させて、次に、前記撮影レンズ用駆動手段を駆動させ、前記レンズ鏡胴を窓部側へ移動させて、前記フラット検出手段から前記レンズバリアフラット信号が入力されると撮影レンズ用駆動手段を駆動停止させる制御手段と、
を有することを特徴とする請求項１に記載の撮像装置。
【発明の詳細な説明】
【０００１】
【発明の属する技術分野】
本発明は、撮影レンズの窓部を覆う閉位置と、撮影レンズの窓部から退避する開位置と、の間を移動するレンズバリアを備えた撮像装置であり、特にデジタルカメラに関する。
【０００２】
【従来の技術】
図１３（Ａ）に示すように、コンパクトカメラやデジタルカメラ３００などでは、持ち運び時に撮影レンズ３０２が傷つかないように、電源がオフのときに撮影レンズ３０２の窓部３００Ａを覆って撮影レンズ３０２を保護するレンズバリア３０４が設けられている。
【０００３】
このレンズバリア３０４は、デジタルカメラ３００の電源をオンにすると、デジタルカメラ３００の内部に設けられたステッピングモータ３０６により回転移動し、撮影レンズ３０２の窓部３００Ａから退避するように構成されている。これにより、窓部３００Ａが全開となり、撮影レンズ３０２が突出可能となる。
【０００４】
【発明が解決しようとする課題】
しかしながら、図１３（Ｂ）に示すように、レンズバリア３０４が閉位置に移動した状態では、レンズバリア３０４の天面は、デジタルカメラ３００のボディ表面より奥方へ位置している。
【０００５】
このため、レンズバリア３０４の周縁部にはゴミ又はホコリが溜まりやすく、ゴミ又はホコリが溜まった状態でレンズバリア３０４を移動させると、デジタルカメラ３００の内部にゴミ又はホコリが入り、故障の原因となる恐れがある。
【０００６】
本発明は上記事実を考慮し、レンズバリアが閉位置のとき、レンズバリアとボディとの面が面一となる撮像装置を提供することを目的とする。
【０００７】
【課題を解決するための手段】
上記目的を達成するため、請求項１に記載の発明は、撮影レンズの窓部を覆う閉位置と、撮影レンズの窓部から退避する開位置と、の間を移動するレンズバリアを備えた撮像装置において、上面に前記レンズバリアが設けられ、固定軸に回転可能かつ前記固定軸の軸方向に沿って所定の長さをスライド可能に軸支されたアームと、前記アームに回転力を伝達するアーム用駆動手段と、前記閉位置及び前記開位置で前記アームの移動を規制するストッパーと、前記固定軸回りに設けられ、前記アームを前記窓部が形成された表筐体から離間する方向へ付勢する第１付勢手段と、前記アームに設けられ、前記アームを前記窓部が形成された表筐体から離間する方向へ付勢する第２付勢手段と、前記撮影レンズが保持されたレンズ鏡胴を前記窓部から突出させ、或いは、窓部奥方へ収まる方向へ移動可能とし、前記レンズ鏡胴が前記アームを前記窓部側へ押上げ、アームを介して前記レンズバリアを窓部内へ移動させる撮影レンズ用駆動手段と、を有することを特徴とする。請求項１に記載の発明では、レンズバリアが撮影レンズの窓部を覆う閉位置と、撮影レンズの窓部から退避する開位置と、の間を移動する。このレンズバリアはアームの上面に設けられており、アームは固定軸に回転可能かつ、固定軸の軸方向に沿って所定の長さをスライド可能に軸支されている。
【０００８】
このアームはアーム用駆動手段によって回転力が伝達され、ストッパーによって閉位置及び開位置で移動が規制される。また、アームは付勢手段によって窓部が形成された表筐体から離間する方向へ付勢されている。
【０００９】
一方、撮影レンズが保持されたレンズ鏡胴は、撮影レンズ用駆動手段によって窓部から突出し、或いは、窓部奥方へ収まる方向へ移動可能となる。このため、レンズ鏡胴がアームを窓部側へ押上げ、アームを介してレンズバリアを窓部内へ移動させることができる。
【００１０】
これにより、デジタルカメラの内部に位置するレンズバリアをデジタルカメラの窓部前面まで押上げて面一にすることができる。このため、レンズバリアの周縁にゴミ又はホコリが溜まらない。
【００１１】
従って、従来のように、レンズバリアの周縁に溜まったゴミ又はホコリがデジタルカメラの内部に入り、故障の原因となることはない。また、レンズバリアと窓部前面とが面一であるため、デジタルカメラの筐体に印刷するデザインの幅が広がる。さらに、アームが回転する際にレンズバリアが窓部より確実に離間し、窓部に干渉しないという優れた特徴を有する。
【００１２】
請求項２に記載の発明は、請求項１に記載の撮像装置において、レンズバリアが開位置にあることを検知してレンズバリア全開信号を出力する全開検出手段と、レンズバリアが閉位置にあることを検知してレンズバリア全閉信号を出力する全閉検出手段と、前記レンズ鏡胴が前記窓部奥方に収まる沈胴位置にあることを検知して沈胴位置信号を出力する沈胴検知手段と、前記窓部前面と前記レンズバリアとが面一となったことを検知してレンズバリアフラット信号を出力するフラット検出手段と、撮像電源をオンさせると前記撮影レンズ用駆動手段を駆動させ、前記レンズ鏡胴を前記窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを開位置へ移動させ、前記全開検出手段から前記レンズバリア全開信号が入力されるとアーム用駆動手段を駆動停止させると共に、撮像電源をオフさせると前記撮影レンズ用駆動手段を駆動させ、前記レンズ鏡胴を窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを閉位置へ移動させ、前記全閉検出手段から前記レンズバリア全閉信号が入力されるとアーム用駆動手段を駆動停止させて、次に、前記撮影レンズ用駆動手段を駆動させ、前記レンズ鏡胴を窓部側へ移動させて、前記フラット検出手段から前記レンズバリアフラット信号が入力されると撮影レンズ用駆動手段を駆動停止させる制御手段と、を有することを特徴とする。
請求項２に記載の発明では、撮像電源がオンされると、撮影レンズ用駆動手段を駆動させ、レンズ鏡胴を窓部奥方へ移動させる。沈胴検出手段によって、レンズ鏡胴が窓部の奥方に収まる沈胴位置にあることが検知されると、沈胴位置信号が出力される。
【００１３】
この沈胴位置信号が制御手段へ入力されると、撮影レンズ用駆動手段を駆動停止させる。次に、アーム用駆動手段を駆動させ、レンズバリアを開位置へ移動させる。そして、全開検出手段によって、レンズバリアが開位置にあることが検知されると、レンズバリア全開信号が出力される。このレンズバリア全開信号が制御手段へ入力されるとアーム用駆動手段を駆動停止させる。
【００１４】
一方、撮像電源がオフされると、撮影レンズ用駆動手段を駆動させ、レンズ鏡胴を窓部奥方へ移動させる。沈胴検出手段によって、レンズ鏡胴が沈胴位置にあることが検知されると、沈胴位置信号が出力される。この沈胴位置信号が制御手段へ入力されると撮影レンズ用駆動手段を駆動停止させる。次に、アーム用駆動手段を駆動させ、レンズバリアを閉位置へ移動させる。
【００１５】
次に、全閉検出手段によって、レンズバリアが閉位置にあることが検知されると、レンズバリア全閉信号が出力される。このレンズバリア全閉信号が制御手段へ入力されると、アーム用駆動手段を駆動停止させる。
【００１６】
そして、撮影レンズ用駆動手段を駆動させ、レンズ鏡胴を窓部側へ移動させて、アームを押上げてレンズバリアを窓部へ移動させる。フラット検出手段によって、窓部前面とレンズバリアとが面一となったことが検知されると、レンズバリアフラット信号が出力され、このレンズバリアフラット信号が制御手段へ入力されると、撮影レンズ用駆動手段を駆動停止させる。
このように、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【００１８】
【発明の実施の形態】
図１には、本形態に係る撮像装置としてのデジタルカメラ１０が示されている。まず、このデジタルカメラ１０の概要について、図２に示すブロック図に従って説明する。
【００１９】
本形態のデジタルカメラ１０は、測距部１３、測光部１７、シャッタボタン１２、操作ボタン１４、モードダイヤル１６、ディスプレイ１８、検出部２０、制御部２２、駆動回路２４、メモリ２６、圧縮伸張部２８、メモリーカードドライブ３０、及び撮像電源３２がバス３４を介して接続された構成である。
【００２０】
モードダイヤル１６は、デジタルカメラ１０の動作モードを選択するダイヤルであり、例えば、写真撮影モード、動画モード、再生モード等のうちのいずれか１つを選択する。
【００２１】
ここで、デジタルカメラ１０の背面筐体の下方側には、図示しないＬＣＤから成るカラーのディスプレイ１８が取付けられており、ディスプレイ１８の上方側には、表示ボタン、実行ボタン、キャンセルボタン、ズーム調整ボタン等の操作ボタン１４が設けられている。
【００２２】
ディスプレイ１８は、画像表示指示がある場合に、メモリ２６に保存された画像データやメモリーカードから読み込んだ画像データに基づいて画像を画面全体に表示したり、複数の縮小画像を並べて表示したり、各種機能選択画面を表示する。
【００２３】
一方、制御部２２は、ＣＰＵ２２Ａ、ＲＯＭ２２Ｂ及びＲＡＭ２２Ｃとから構成され、バス３４を介してシャッタボタン１２、操作ボタン１４、モードダイヤル１６、ディスプレイ１８、全開検出装置５６、全閉検出装置５７、沈胴検出装置５８、フラット検出装置６０、駆動回路２４、メモリ２６、圧縮伸張部２８、メモリーカードドライブ３０、及び撮像電源３２等の各種構成要素が接続されている。
【００２４】
ところで、ＲＯＭ２２Ｂには、制御部２２に接続された上述の各種構成要素を制御するプログラム、及び、レンズバリア用ステッピングモータ４０の駆動制御プログラムが記憶されている。また、ＲＡＭ２２Ｃには、バス３４を介して入力される前記各プログラムに必要な各種データが記憶される。
【００２５】
一方、バス３４を介して制御部２２と接続する駆動回路２４には、ストロボ３６、レンズバリア３８を開位置と閉位置との間で移動させるためのレンズバリア用ステッピングモータ４０、フォーカスレンズ鏡胴（撮影レンズ）４２を移動させるためのレンズ鏡胴用モータ１１０、シャッタ４４、絞り４６、撮像デバイス４８が接続されており、駆動回路２４は、制御部２２からの制御信号に基づいてそれぞれを駆動制御する。
【００２６】
以上のような構成により、撮像電源３２がオフからオンになると、ＣＰＵ２２Ａは、ＲＯＭ２２Ｂから各種制御プログラムおよびバリアモータ駆動制御プログラムを読み出して、各種構成要素の初期設定処理を行う。
【００２７】
撮影待機状態では、例えば、ＣＰＵ２２Ａは、測距部１３により測定された被写体との距離に基づいてオートフォーカス（ＡＦ）制御値を定めて駆動回路２４に出力する。駆動回路２４は、ＡＦ制御値に基づいてフォーカスレンズ用モータ１１２を駆動させ、フォーカスレンズ５３を移動させて、自動的に焦点調整を行う。
【００２８】
また、ＣＰＵ２２Ａは、選択された倍率に応じてレンズ鏡胴用モータ１１０を駆動させ、選択された倍率となる位置にズームレンズ７０、７２を移動させる。さらに、ＣＰＵ２２Ａは、測光部１７で測定された測光値に基づいて露光制御値、例えば、絞り値（絞りの開口量）やシャッタスピード、ストロボ３６により発光させるか否か等を定めて駆動回路２４へ出力する。
【００２９】
そして、シャッタボタン１２が押下されると、駆動回路２４は、露光制御値に基づいてストロボ３６、レンズ鏡胴用モータ１１０、シャッタ４４、絞り４６及び撮像デバイス４８を駆動させ、ズームレンズ７０を透過した被写体像を撮影する。
【００３０】
一方、撮像デバイス４８には、露光制御値に応じて入射する光の光量に対応した電荷が蓄積される。蓄積された電荷、すなわち画像信号は、アナログ信号処理部５０に出力される。
【００３１】
このアナログ信号処理部５０では、入力された画像信号に所定のアナログ信号処理（例えばノイズ低減処理）を施し、Ａ／Ｄ変換部５２へ出力する。Ａ／Ｄ変換部５２では、入力されたアナログ信号をデジタル信号に変換してデジタル信号処理部５４に出力する。
【００３２】
デジタル信号処理部５４では、入力されたデジタル信号に所定のデジタル信号処理（例えばシェーディング補正処理）を施し、画像データとしてメモリ２６に出力する。また、メモリ２６に出力された画像データの画像は液晶などで構成されたディスプレイ１８により表示される。
【００３３】
一方、デジタルカメラ１０では、操作ボタン１４により所定の操作を行うことにより撮影した画像をメモリカードドライブを介して、例えば、スマートメディアやＨｉＦＤ等のメモリカードに記憶させることができる。
【００３４】
この場合、メモリ２６に記憶された画像データは圧縮伸張部２８に出力され、該圧縮伸張部２８において所定の画像圧縮処理（例えばＪＰＥＧ処理）が行われる。圧縮された画像データはメモリーカードドライブ３０に出力され、メモリカードに書き込まれる。
【００３５】
なお、本形態のデジタルカメラ１０では、メモリカードに記憶された圧縮画像データを読み出すこともできる。この場合、メモリカードから読み出された圧縮画像データは圧縮伸張部２８へ出力され、この圧縮伸張部２８において伸張処理が施される。これにより、圧縮画像から元の画像に戻される。伸張処理された画像は、ディスプレイ１８に表示される。
【００３６】
また、デジタルカメラ１０では、所定の時点の画像を撮影するだけでなく、ビデオカメラのように撮影している被写体の映像を常時ディスプレイ４６に表示させることもできる。
【００３７】
撮影した画像が視認可能か否かの判断は、例えば測光部１７により測定した光量が所定値以上か否かを判断することにより行う。また、撮像デバイス４８のＣＣＤに蓄積された電荷の量が所定値以上か否かを判断してもよい。
【００３８】
このデジタルカメラ１０の各部は、基本的に図示しないメイン電源（例えば、ＮｉＭＨ電池やアルカリ電池）から電源が供給されて動作するが、メイン電源のオフ時には、サブ電源（例えばリチウム電池）により電源が供給され、メイン電源の消費電力を抑えている。
【００３９】
次に、第１形態に係るデジタルカメラ１０に備えられたレンズバリア３８について説明する。図１に示すように、デジタルカメラ１０の表筐体１０Ａには、レンズ開口部１１が形成されており、レンズ鏡胴４２（図６参照）が通過可能となっている。
【００４０】
このレンズ鏡胴４２は撮影時にレンズ開口部１１を通過して表筐体１０Ａから突出し、撮影時以外（再生時も含む）は、レンズ開口部１１の奥方（デジタルカメラ１０の内部）へ収納される。このとき、円板状のレンズバリア３８がレンズ開口部１１を覆い、レンズ鏡胴４２に備えられたズームレンズ７０を保護する。
【００４１】
ここで、レンズ鏡胴４２について、説明する。
【００４２】
図３及び図６に示すように、レンズ鏡胴４２には回転筒８６が備えられている。この回転筒８６はデジタルカメラ１０の内部に回転可能に保持されており、外周面の一端側には、ギア部９０が形成され、ギア部９０にはレンズ鏡胴用モータ１１０に直結されたギア１０５が噛み合っている。このため、レンズ鏡胴用モータ１１０が回転すると、ギア１０５を介して回転筒８６に駆動力が伝達され、回転筒８６が回転する。
【００４３】
この回転筒８６の内周面には、第２レンズ筒用カム溝１３６が凹設されており、回転筒８６の内側には、固定筒８２が回転筒８６の軸方向（光軸Ｌ）に沿ってスライド可能に設けられている。
【００４４】
ここで、固定筒８２の周面には、移動筒用カム穴１３２及び第２レンズ筒用直進ガイド穴１３０が貫通しており、第２レンズ筒用直進ガイド穴１３０は固定筒８２の軸方向に沿って形成されている。一方、固定筒８２の内側には、第２レンズ筒７４が配置されており、この第２レンズ筒７４の外周面からは、第２レンズ筒用カムフォロワ１２２が突出している。
【００４５】
この第２レンズ筒用カムフォロワ１２２は、固定筒８２に設けられた第２レンズ筒用直進ガイド穴１３０に挿通されて、回転筒８６の第２レンズ筒用カム溝１３６に係合される。
【００４６】
ここで、第２レンズ筒用カム溝１３６は、回転筒８６の回転に伴って、第２レンズ筒用カムフォロワ１２２が第２レンズ筒用直進ガイド穴１３０に沿ってスライド可能となるように形成されている。
【００４７】
これにより、回転筒８６の回転力を、第２レンズ筒７４が回転筒８６の軸方向に沿ってスライドする力に変換させることができ、回転筒８６が回転すると、第２レンズ筒７４は回転筒８６の軸方向（光軸Ｌ）に沿ってスライドする。
【００４８】
また、回転筒８６の内周面には、移動筒用直進ガイド溝１３８が凹設されている。一方、回転筒８６と第２レンズ筒７４の間には、第２レンズ筒用カムフォロワ１２２の上に載るようにして移動筒７８が挿通されており、移動筒７８の外周面からは、移動筒用カムフォロワ１１８が突出している。この移動筒用カムフォロワ１１８は、固定筒８２に設けられた移動筒用カム穴１３２に挿通されて、回転筒８６の移動筒用直進ガイド溝１３８に係合される。
【００４９】
ここで、移動筒用カム穴１３２は、回転筒８６の回転に伴って、移動筒用カムフォロワ１１８を移動筒用直進ガイド溝１３８に沿って移動させるように形成されている。
【００５０】
これにより、回転筒８６の回転力を、移動筒７８が回転筒８６と連動して回転しながら回転筒８６の軸方向に沿ってスライドする力に変換させることができ、回転筒８６が回転すると、移動筒７８は回転筒８６に連動して回転すると共に、光軸Ｌ方向に沿ってスライドする。
【００５１】
ところで、第２レンズ筒７４と移動筒７８の間には、第１レンズ筒８４が挿通されている。この第１レンズ筒８４の内縁には、レンズ保持枠８５が設けられており、レンズ保持枠８５によって、ズームレンズ７０が保持される。
【００５２】
また、第１レンズ筒８４の内周面には、第２レンズ筒用直進ガイド溝１０４が凹設されており、第２レンズ筒７４の外周面から突出した直進ガイド突起１２６が係合可能となっている。
【００５３】
このため、回転筒８６の回転によって、第２レンズ筒７４が光軸Ｌに沿ってスライドするので、直進ガイド突起１２６は第２レンズ筒用直進ガイド溝１０４に沿ってスライド移動する。
【００５４】
一方、移動筒７８の内周面には、第１レンズ筒用カム溝１１４が設けられており、第１レンズ筒８４の外周面に設けられた第１レンズ用カムフォロワ１０８が係合可能となっている。
【００５５】
このため、第２レンズ筒７４の直進ガイド突起１２６が、第２レンズ筒用直進ガイド溝１０４内をスライド移動すると共に、移動筒７８の回転によって第１レンズ筒用カム溝１１４が作用して、第１レンズ筒８４を移動筒７８に対して光軸Ｌ方向に沿ってスライドさせる。
【００５６】
ここで、第２レンズ筒７４の内部には、レンズ保持枠７６及びフォーカスレンズ枠８０が設けられており、フォーカスレンズ枠８０にはフォーカスレンズ５３が保持され、レンズ保持枠７６にはズームレンズ７２が保持されている。
【００５７】
このレンズ保持枠７６には、フォーカスレンズ用モータ１１２が設けられており、このフォーカスレンズ用モータ１１２の駆動力によって送りネジ１００が回転する。
【００５８】
一方、フォーカスレンズ枠８０には、支持部８０Ａが設けられており、送りネジ１００にねじ込み可能となっている。これにより、フォーカスレンズ枠８０は送りネジ１００の回転によって光軸Ｌ方向に沿って移動可能となる。
【００５９】
この移動は、第２レンズ筒７４に対して撮像デバイス４８の結像面側に最も寄った原点位置と該原点位置から被写体側に離れた位置との間で行われる。ここで、第２レンズ筒７４と固定筒８２との間には、バネ１２８(図３参照)が配設されており、このバネ１２８によって第２レンズ筒７４が撮像デバイス４８の結像面側に常時付勢される。
【００６０】
次に、レンズバリアの開閉機構について説明する。
【００６１】
図３及び図４に示すように、デジタルカメラ１０（図１参照）の内部には、アーム用駆動手段としてのレンズバリア用ステッピングモータ４０が用いられており、図示しないタイマーで駆動時間が制御され、正転或いは逆転する。
【００６２】
このレンズバリア用ステッピングモータ４０からの駆動力は、デジタルカメラ１０の内部に設けられた基板（図示省略）に配設された複数のギア（図示省略）を介して最終ギア１０２に伝達される。
【００６３】
最終ギア１０２にはレンズバリア開閉用ギア１２４が噛み合っており、レンズバリア用ステッピングモータ４０の駆動力はレンズバリア開閉用ギア１２４に伝達される。このレンズバリア開閉用ギア１２４は固定軸８８に軸支されており、固定軸８８を中心に回転可能となっている。
【００６４】
レンズバリア開閉用ギア１２４の裏面からは、中空シャフト１４４が突出し、固定軸８８に挿通可能となっている。中空シャフト１４４の外周には、一部に切欠き部１４６Ａが形成された環状の遮光羽根１４６が嵌合して固定されており、中空シャフト１４４の軸方向に対して直交した状態で配置されている。
【００６５】
また、中空シャフト１４４の先端部には、周方向に沿って溝部１４４Ａが凹設されており、抜け止め用のＥリング１４５が装着されている。
【００６６】
ここで、中空シャフト１４４の近傍には、フォトセンサー１４８が配設されており、フォトセンサー１４８の投光部１４８Ａと受光部１４８Ｂとの間に遮光羽根１４６が配置されるようにしている。
【００６７】
このため、遮光羽根１４６の切欠き部１４６Ａがフォトセンサー１４８の投光部１４８Ａと受光部１４８Ｂとの間に位置しているときは、フォトセンサー１４８からレンズバリア用ステッピングモータ４０を継続させるＯＮ信号が出力され、遮光羽根１４６がフォトセンサー１４８の投光部１４８Ａと受光部１４８Ｂとの間を遮った時に、フォトセンサー１４８からレンズバリア用ステッピングモータ４０の駆動を停止させるＯＦＦ信号が出力される。
【００６８】
従って、フォトセンサー１４８は遮光羽根１４６の切欠き部１４６Ａの通過を光電的に監視することによって、レンズバリア開閉用ギア１２４の回転角度を検出することができる。
【００６９】
これによって、レンズバリア開閉用ギア１２４に間接的に連結されたアーム１５０に設けられたレンズバリア３８の開位置或いは閉位置が分かるようになっている（後述する）。
【００７０】
一方、レンズバリア開閉用ギア１２４の天面には、固定軸８８に挿通可能な環状の台座１５２がレンズバリア開閉用ギア１２４と一体となって設けられており、台座１５２の外周縁からは、表筐体１０Ａ側へ向かって突片１５４が延出している。
【００７１】
また、固定軸８８には台座１５２に対面して環状の連結部材１５６が挿通しており、この連結部材１５６の外周縁からは、突片１５４の軸芯側に突片１５４と対面して連結片１５８が延出している。
【００７２】
ここで、台座１５２と連結部材１５６との間には、固定軸８８に挿通されたトーションスプリング１６０が挿通している。このトーションスプリング１６０のコイル幅は、連結片１５８よりも長くなっており、連結片１５８の先端面と台座１５２との間に隙間を設け、レンズバリア開閉用ギア１２４に連動して台座１５２が回転するとき、連結片１５８の先端面が台座１５２を摺動しないようにしている。
【００７３】
また、トーションスプリング１６０の両端部は、突片１５４の両側を挟むようにして取り付けられている。これにより、レンズバリア開閉用ギア１２４に伝達された駆動力は、突片１５４を介してトーションスプリング１６０に伝達される。
【００７４】
このため、レンズバリア開閉用ギア１２４に駆動力が伝達され、台座１５２と共に突片１５４が回転すると、突片１５４の一方の側面によってトーションスプリング１６０の一端側が押圧され、トーションスプリング１６０が捩られて弾性力が蓄積される。
【００７５】
このように、トーションスプリング１６０に所定の弾性力が蓄積されると、トーションスプリング１６０の他端側が一端側へ向かって復元しようとするため、トーションスプリング１６０の他端側が連結片１５８を押圧して、連結片１５８と共に連結部材１５６を回転させる。
【００７６】
ところで、連結部材１５６の天面には、レンズバリア３８が載置可能な略円板上の載置部１５０Ａを備えたアーム１５０が配置されており、載置部１５０Ａからは支持片１５０Ｂが延出している。
【００７７】
この支持片１５０Ｂの端部には、支持部１５０Ｃが設けられており、支持部１５０Ｃの内径寸法は、固定軸８８の外径寸法よりも若干大きくなっている。このため、アーム１５０は固定軸８８の軸方向に沿ってスライド可能となっている。
【００７８】
また、連結部材１５６には連結片１５８と反対側の位置に係合片１６４が張り出しており、この係合片１６４にはＵ溝１６４Ａが形成されている。一方、アーム１５０の支持片１５０Ｂには、嵌合穴１５７が形成されており、係合ピン１６６の一端部に形成された嵌合部１５６Ａが嵌合可能となっている。この嵌合部１５６Ａを支持片１５０Ｂの裏面から嵌合穴１５７に嵌合させ、係合ピン１６６を連結部材１５６に設けられたＵ溝１６４Ａに係合させる。
【００７９】
この係合ピン１６６及び係合片１６４によって、トーションスプリング１６０を介して連結部材１５６に伝達された回転力は、アーム１５０へ伝達され、アーム１５０が固定軸８８を中心に回転するアーム１５０が回転する。
【００８０】
また、係合ピン１６６の外径寸法は、Ｕ溝１６４Ａの幅より若干小さくなっており、Ｕ溝１６４Ａ内を固定軸８８に沿ってスライド可能となっている。このため、アーム１５０が固定軸８８の軸方向にスライドするとき、固定軸８８と係合ピン１６６にガイドされる。
【００８１】
ここで、図５に示すように、アーム１５０の載置部１５０Ａに設けられたレンズバリア３８は、レンズバリア開閉用ギア１２４の回転によって、アーム１５０を介して、表筐体１０Ａに形成されたレンズ開口部１１を塞ぐ閉位置（仮想線）と、レンズ開口部１１から退避する開位置（実線）と、の間を移動する。
【００８２】
また、アーム１５０にはストッパー１５０Ｄが設けられており、このストッパー１５０Ｄはレンズバリア３８の開位置或いは、閉位置でデジタルカメラ１０の内部に設けられた当接部１５１、１５３に当接し、位置決めされる。
【００８３】
ここで、トーションスプリング１６０を用いて、トーションスプリング１６０に弾性力を蓄積させることによって、トーションスプリング１６０の復元力を利用して、レンズバリア３８の開位置或いは、レンズバリア３８の閉位置でストッパー１５０Ｄを当接部１５１、１５３側へ押し付けて、アーム１５０の位置がズレないようにしている。
【００８４】
また、トーションスプリング１６０を用いることで、ストッパー１５０Ｄが当接部１５１又は当接部１５３へ当接してからレンズバリア用ステッピングモータ４０が駆動停止するまでの間には、レンズバリア３８の位置を検出して制御部２２で処理を行うため、若干のタイムラグが生じるが、レンズバリア用ステッピングモータ４０には、負荷が掛からない。
【００８５】
一方、アーム１５０と表筐体１０Ａとの間には、圧縮バネ１６８が配置されており、この圧縮バネ１６８は固定軸８８に挿通され、アーム１５０を表筐体１０Ａから離間する方向へ付勢している。
【００８６】
ここで、図７及び図８に示すように、レンズバリア３８が閉位置に移動するとき、レンズ鏡胴４２は沈胴位置に配設されており、レンズバリア３８が閉位置に配置されると、レンズ鏡胴用モータ１１０が再駆動し、回転筒８６が回転する。
【００８７】
これにより、図９に示すように、第２レンズ筒７４、移動筒７８及び第１レンズ筒８４が表筐体１０Ａ側へ向かって移動し、第１レンズ筒８４がアーム１５０に当接して、アーム１５０を介して圧縮バネ１６８の付勢力に抗する方向へレンズバリア３８を押上げ、レンズバリア３８をレンズ開口部１１内へ移動させる。
【００８８】
ここで、レンズバリア３８の外径寸法は、レンズ開口部１１と略同一となっている。これにより、レンズバリア３８の天面３８Ａと表筐体１０Ａの意匠面１５とを面一とすることができる。
【００８９】
一方、アーム１５０に形成されたストッパー１５０Ｄには、板バネ１７０の一端部が固定されており、アーム１５０が押上げられたとき、板バネ１７０の他端部が表筐体１０Ａの裏面に当接する。この板バネ１７０によって、第１レンズ筒８４がアーム１５０を押上げたとき、圧縮バネ１６８の復元力によってアーム１５０が傾かないように、バランスを図っている。
【００９０】
ところで、図３に示すように、回転筒８６の外周面の他端側には、周方向に沿って、コード板１４０が設けられており、このコード板１４０によって、ズームレンズ７０及びズームレンズ７２の位置に対応する回転筒８６の回転可能な角度範囲を定めている。
【００９１】
例えば、第１の回転角度範囲であるＡ範囲１４０Ａは０度〜２度の範囲であり、この範囲では、第２レンズ筒７４、移動筒７８及び第１レンズ筒８４が沈胴位置（図８参照）とレンズバリア３８を押上げてレンズバリア３８の天面３８Ａを表筐体１０Ａと意匠面１５と面一にするフラット位置（図９参照）との間をスライド移動する。
【００９２】
次に、第２の回転角度範囲であるＢ範囲１４０Ｂは２度〜４．５度の範囲であり、この範囲では、第２レンズ筒７４、移動筒７８及び第１レンズ筒８４が沈胴位置といわゆるテレ位置との間をスライド移動する。
【００９３】
そして、第３の回転角度範囲であるＣ範囲１４０Ｃは４．５度〜１２．１度の範囲であり、この範囲では、移動筒７８及び第１レンズ筒８４がスライド移動すると共に、フォーカスレンズ用モータ１１２が駆動してフォーカスレンズ枠８０を介してフォーカスレンズ５３が光軸Ｌ方向に沿って移動する。
【００９４】
次に、第４の回転角度範囲であるＤ範囲１４０Ｄは１２．１度〜２５度の範囲であり、この範囲では、第２レンズ筒７４、移動筒７８及び第１レンズ筒８４がテレ位置といわゆるワイド位置との間をスライド移動する。
【００９５】
そして、第５の回転角度範囲であるＥ範囲１４０Ｅは２５度〜５６度であり、この範囲では、第２レンズ筒が第１レンズ筒８４に対してスライド移動してズームレンズ７２及びフォーカスレンズ５３と撮像デバイス４８との離間距離を変える。
【００９６】
ここで、これらの各範囲１４０Ａ〜１４０Ｅは、デジタルカメラ１０の内部に設けられた図１０に示す端子１４２によって検知される。この端子１４２には、コード板１４０のＡ範囲１４０Ａ〜Ｅ範囲１４０Ｅに対応した位置にそれぞれ接点１４２Ａ〜１４２Ｅが備えられており、Ａ範囲１４０Ａ〜Ｅ範囲１４０Ｅと接触することにより、回転筒８６の回転角度が検出され、後述する制御部２２に出力される。
【００９７】
次に、レンズバリア３８の動作について、図２及び図３を参照して図１１及び図１２に示すフローチャートに従って説明する。
【００９８】
まず、図１１に示すように、ステップ２１０において、撮像電源３２をオンにすると、制御部２２にはレンズバリア開放信号が入力され、ステップ２１２では、図９に示すレンズ鏡胴用モータ１１０が駆動する。
【００９９】
これにより、回転筒６２が回転し、図１０に示す端子１４２の接点１４２Ａの接触位置が、回転筒６２と一体に回転するコード板１４０のＡ範囲１４０Ａの端部Ｑから端部Ｐへ向かって移動する。このため、第２レンズ筒７４、移動筒７８及び第１レンズ筒８４が、図８に示すように、レンズ開口部１１の奥方へ移動する。
【０１００】
次に、ステップ２１４において、レンズ鏡胴４２が沈胴位置に到達したか否かが判断される。ここで、図１０に示すコード板１４０のＡ範囲１４０Ａの端部Ｐが、接点１４２Ａに到達すると、沈胴検出装置５８が作動する。そして、沈胴位置信号が制御部２２へ入力されると、ステップ２１６において、レンズ鏡胴用モータ１１０の駆動が停止する。
【０１０１】
次に、ステップ２１８において、レンズバリア用ステッピングモータ４０が駆動して、レンズバリア開閉用ギア１２４に回転力が伝達される。これにより、図７に示すように、レンズバリア３８が開位置へ移動する。
【０１０２】
このとき、中空シャフト１４４に固定された遮光羽根１４６の切欠き部１４６Ａはフォトセンサー１４８の投光部１４８Ａと受光部１４８Ｂとの間に位置しており、フォトセンサー１４８からはレンズバリア用ステッピングモータ４０を継続させるＯＮ信号が制御部２２へ入力される。
【０１０３】
そして、ステップ２２０において、レンズバリア３８が開位置へ移動したか否か判断される。遮光羽根１４６がフォトセンサー１４８の投光部１４８Ａと受光部１４８Ｂとの間を遮った時、全開検出装置５６からレンズバリア全開信号が出力される。
【０１０４】
このレンズバリア全開信号は制御部２２へ入力され、ステップ２２２において、レンズバリア用ステッピングモータ４０の駆動が停止する。そして、ステップ２２４でレンズ鏡胴用モータ１１０が駆動して、レンズ鏡胴４２が表筐体１０Ａから突出して、撮影可能状態となる。
【０１０５】
一方、図１２に示すように、ステップ２３０において、撮像電源３２をオフにすると、制御部２２にはレンズバリア閉止信号が入力され、ステップ２３２でレンズ鏡胴用モータ１１０が駆動する。
【０１０６】
これにより、回転筒８６が回転し、図１０に示す端子１４２の接点１４２Ａの接触位置が、回転筒６２と一体に回転するコード板１４０のＡ範囲１４０Ａの端部Ｑから端部Ｐへ向かって移動する。このため、図８に示すように、第２レンズ筒７４、移動筒７８及び第１レンズ筒８４がレンズ開口部１１の奥方へ移動する。
【０１０７】
次に、ステップ２３４において、レンズ鏡胴４２が沈胴位置に到達したか否かが判断される。ここで、図１０に示すコード板１４０のＡ範囲１４０Ａの端部Ｐが、接点１４２Ａに到達すると、沈胴検出装置５８が作動する。そして、沈胴位置信号が制御部２２へ入力されると、ステップ２３６において、レンズ鏡胴用モータ１１０の駆動が停止する。
【０１０８】
一方、ステップ２３８では、レンズバリア用ステッピングモータ４０が駆動し、レンズバリア３８が閉位置へ移動する。このとき、前述したように、遮光羽根１４６の切欠き部１４６Ａはフォトセンサー１４８の投光部１４８Ａと受光部１４８Ｂとの間に位置しており、フォトセンサー１４８からはレンズバリア用ステッピングモータ４０を継続させるＯＮ信号が制御部２２へ入力される。
【０１０９】
次に、ステップ２４０で、レンズバリア３８が閉位置へ移動したか否か判断される。遮光羽根１４６がフォトセンサー１４８の投光部１４８Ａと受光部１４８Ｂとの間を遮った時、全閉検出装置５７からレンズバリア全閉信号が出力される。
【０１１０】
これにより、ステップ２４２において、レンズバリア用ステッピングモータ４０が駆動停止する。次に、ステップ２４４でレンズ鏡胴用モータ１１０が駆動する。
【０１１１】
これにより、回転筒６２が回転して、図１０に示す端子１４２の接点１４２Ａの接触位置が、回転筒６２と一体に回転するコード板１４０のＡ範囲１４０Ａの端部Ｐから端部Ｑへ向かって移動する。
【０１１２】
このため、図９に示すように、第２レンズ筒７４、移動筒７８及び第１レンズ筒８４が表筐体１０Ａ側へ向かって移動し、第１レンズ筒８４がアーム１５０を介してレンズバリア３８を押上げ、レンズバリア３８をレンズ開口部１１内へ移動させる。
【０１１３】
これにより、レンズバリア３８の天面３８Ａと表筐体１０Ａの意匠面１５とを面一とすることができる。そして、ステップ２４６において、レンズバリア３８が表筐体１０Ａと面一となるフラット位置へ移動したか否かが判断される。
【０１１４】
ここで、図１０に示す接点１４２ＡがＡ範囲１４０Ａの端部Ｑに到達すると、フラット検出装置６０が作動して、レンズバリアフラット信号が出力される。このレンズバリアフラット信号は制御部２２へ入力され、ステップ２４８において、レンズバリア用ステッピングモータ４０の駆動が停止する。
【０１１５】
以上のように、各種の検出手段を備えることによって、レンズバリア３８が開位置に移動するときに、ズームレンズ７０を摺動したり、レンズバリア３８が閉位置であるにも拘らず、レンズ鏡胴４２が突出することがないようにしている。
【０１１６】
なお、レンズバリア３８及びレンズ鏡胴４２の位置が認識できれば良いため、本形態に限るものではなく、スイッチなどを用いても良く、また、本形態による配設場所には限られない。
【０１１７】
また、規定された時間内にレンズバリア３８が開位置に到達していない場合、或いは、レンズバリア３８が表筐体１０Ａと面一にならない場合は、液晶部分（図示省略）にエラー表示させ、デジタルカメラ１０が故障であることが分かるようにしても良い。
【０１１８】
なお、本形態では、回転筒８６の外周面に設けたコード板１４０に基づいてレンズ鏡胴用モータ１１０の駆動を制御しているが、回転筒の回転角度が分かれば良いため、本発明はこの構成に限らない。
【０１１９】
例えば、コード板１４０の形状を変えても良いし、コード板に設けられた端子の接点がコード板に接触する数（例えば、接点がＡ範囲及びＢ範囲に接触した時点で、回転筒の回転角度は２度〜４．５度である）によって判断するようにしても良い。また、予め定めた一定時間ごと、又は、予め定めた一定クロックごとにレンズ鏡胴用モータ１１０を駆動させる構成とすることも可能である。
【０１２０】
また、本形態では、撮影対象の画像をディスプレイに表示してから撮影を許可する構成としたが、別の構成として、ディスプレイに表示する前に撮影を許可する構成とすることもできる。この場合、ＬＥＤなどを用いて撮影を許可したことをユーザに知らせるように構成するとよい。
【０１２１】
また、このデジタルカメラ１０は、メイン電源として、ＮｉＭＨ電池やアルカリ電池等の単三電池とＤＣ電源とのいずれか一方を選択可能に構成されている。
もちろん、使用する蓄電池は、ＮｉＭＨ電池やアルカリ電池等に限らない。また、単三電池を使用しているが、単三以外の電池を使用可能に構成することもできる。
【０１２２】
さらに、上記形態では２群構成のズームレンズとしているが、本発明ではこれに限らず、３群以上の構成でもよい。また、ズームレンズ群カメラに限らず、例えばテレ位置、ワイド位置、及び沈胴位置とに切り換わる２焦点カメラにも本発明を適用することができる。さらに、沈胴位置とワイド位置との間にテレ位置を設定しているが、沈胴位置とテレ位置との間にワイド位置を設定することも可能である。
【０１２３】
また、本形態では、デジタルカメラについて説明したが、レンズ開口部を覆い、或いはレンズ開口部から退避するレンズバリアを用いるカメラであれば良いため、デジタルカメラに限るものではない。
【０１２４】
さらに、本形態のように、レンズバリア３８と表筐体１０Ａとが面一であることが望ましいが、レンズバリア３８をレンズ開口部１１内へ移動させることによって、従来と比較して、レンズバリア３８の周縁にゴミ又はホコリが溜まり難くなるため、レンズバリア３８と表筐体１０Ａとが完全に面一でなくても良い。
【０１２５】
【発明の効果】
本発明は、上記構成としたので、請求項１に記載の発明では、レンズバリアと窓部前面とは面一となるため、レンズバリアの周縁部にゴミ又はホコリが溜まらない。従って、従来のように、レンズバリアの周縁部に溜まったゴミ又はホコリがカメラの内部に入り、故障の原因となることはない。また、レンズバリアと窓部前面とが面一であるため、カメラの筐体に印刷するデザインの幅が広がる。さらに、アームが回転する際にレンズバリアが窓部より確実に離間し、窓部に干渉しないという優れた特徴を有する。
【０１２６】
請求項２に記載の発明では、駆動手段を時間で制御し、各種の検出手段によってレンズバリアを位置を検知することで、レンズバリアが開位置に移動するときに、撮影レンズのレンズ面を摺動したり、レンズバリアが閉位置であるにも拘らず、撮影レンズが突出することがないようにしている。
【図面の簡単な説明】
【図１】本形態に係る撮像装置が適用されたデジタルカメラの外観を示す正面図である。
【図２】本形態に係る撮像装置が適用されたデジタルカメラの要部のブロック図である。
【図３】本形態に係る撮像装置に用いられたレンズバリア及びレンズ鏡胴を示す分解斜視図である。
【図４】本形態に係る撮像装置に用いられたレンズバリアを示す斜視図である。
【図５】本形態に係る撮像装置に用いられたレンズバリアを示す平面図であり、実線がレンズバリアの開位置を示し、仮想線がレンズバリアの閉位置を示す。
【図６】本形態に係る撮像装置に用いられたレンズバリアが開位置に移動し、レンズ鏡胴が突出した状態を示す部分断面図である。
【図７】本形態に係る撮像装置に用いられたレンズ鏡胴が沈胴位置に移動した状態を示す部分断面図である。
【図８】本形態に係る撮像装置に用いられたレンズバリアが閉位置に移動した状態を示す部分断面図である。
【図９】本形態に係る撮像装置に用いられたレンズ鏡胴によってレンズバリアを表筐体と面一にした状態を示す部分断面図である。
【図１０】本形態に係る撮像装置に用いられたレンズ鏡胴に設けられたコード板と、端子と、の関係を示す説明図である。
【図１１】本形態に係る撮像装置が適用されたデジタルカメラの撮像電源をオンしたときの制御を示すフローチャートである。
【図１２】本形態に係る撮像装置が適用されたデジタルカメラの撮像電源をオフしたときの制御を示すフローチャートである。
【図１３】従来のデジタルカメラを示す概略断面図であり、（Ａ）はレンズバリアの開位置を示し、（Ｂ）はレンズバリアの閉位置を示している。
【符号の説明】
１０            デジタルカメラ
１１            レンズ開口部（窓部）
２０            検出部（制御手段）
２２            制御部（制御手段）
２４            駆動回路（制御手段）
３４            バス（制御手段）
３８            レンズバリア
４０            レンズバリア用ステッピングモータ（アーム用駆動手段）
５６            全開検出装置（全開検出手段）
５７            全閉検出装置（全閉検出手段）
５８            沈胴検出装置（沈胴検出手段）
６０            フラット検出装置（フラット検出手段）
１１０    レンズ鏡胴用モータ（撮影レンズ用駆動手段）
１４６    遮光羽根（全開検出手段、全閉検出手段）
１４８    フォトセンサー（全開検出手段、全閉検出手段）
１５０    アーム
１５０Ｄ  ストッパー
１５１    当接部（ストッパー）
１６８    圧縮バネ（付勢手段）
１７０    板バネ（付勢手段）
【図１】
0004548924.tif 000002
【図２】
0004548924.tif 000003
【図３】
0004548924.tif 000004
【図４】
0004548924.tif 000005
【図５】
0004548924.tif 000006
【図６】
0004548924.tif 000007
【図７】
0004548924.tif 000008
【図８】
0004548924.tif 000009
【図９】
0004548924.tif 000010
【図１０】
0004548924.tif 000011
【図１１】
0004548924.tif 000012
【図１２】
0004548924.tif 000013
【図１３】
0004548924.tif 000014